(57)【特許請求の範囲】
【請求項１】
対物レンズアクチュエータを備えた光ピックアップと、磁気ヘッドコアを備えた磁気ヘッドとが光磁気ディスクを挟んで対峙して配されるとともにヘッドアームによって連結されており、前記ヘッドアームから規制アームが延設されるとともに前記規制アームの一端部が磁気ヘッドと対峙して配された光磁気記録装置であって、
前記対物レンズアクチュエータの磁気回路に用いられている複数の磁石は、光磁気ディスクのラジアル方向およびタンジェンシャル方向に対して非対称に配され、
前記規制アームの一端部に、前記磁気ヘッドコアの前記光ピックアップに対向する面の空間における漏洩磁界をキャンセルする複数のバイアス磁界発生手段が設けられ、
前記バイアス磁界発生手段の磁界強度または極性は、夫々異なることを特徴とする光磁気記録装置。
【発明の詳細な説明】
【０００１】
【発明の属する技術分野】
本発明は、磁界変調型の光磁気記録装置に関する。
【０００２】
【従来の技術】
光磁気ディスクは書き換え可能、媒体交換可能という利点を持つ大容量のディスクであり、この光磁気ディスクを用いる装置として磁界変調型光磁気記録装置の普及がめざましい。この磁界変調型光磁気記録装置に、図６に示すような光磁気ディスク装置がある。
【０００３】
この光磁気ディスク装置１には、ディスクカートリッジ（図示省略）に格納された光磁気ディスク（以下、ディスク２という）を挟んで、レーザ光を照射する光ピックアップ３と、光ピックアップ３の動きと連動してレーザスポット位置にあわせて移動する磁気ヘッド４とが対峙して設けられている。
【０００４】
これら光ピックアップ３と磁気ヘッド４とは、光ピックアップ３の移動にともなってディスク２の半径方向に移動するヘッドアーム５およびサスペンション６により連結されている。すなわち、光ピックアップ３とヘッドアーム５の他端とが係合され、ヘッドアーム５の一端とサスペンション６の他端とが係合され、サスペンション６の一端と磁気ヘッド４とが係合されてなる。また、ヘッドアーム５の一端近傍から規制アーム５１が、延設されるとともに磁気ヘッド４およびサスペンション６の上方に配され、この規制アーム５１により磁気ヘッド４およびサスペンション６の変位を規制する。
【０００５】
磁気ヘッド４には、図４に示すように、フェライト合金等の磁性材料からなる磁気ヘッドコア４４が設けられ、この磁気ヘッドコア４４の光ピックアップ３に対向する面には、磁界を発生させる突起部４５が設けられている。
【０００６】
光ピックアップ３（図６（ｂ）参照）は、図７および図８に示すように、対物レンズアクチュエータ３１を備えた対物レンズホルダ３２と、アクチュエータベース３６とを備え、図８に示す矢印Ａ方向に磁束を放出する。アクチュエータベース３６には、対物レンズホルダ３２を駆動させるホルダ用マグネット３３とバックヨーク３４で構成された磁気回路が配されている。この磁気回路には、フォーカスコイル３７とラジアルコイル３８とが配され、それぞれのコイル３７、３８に電流を印加することにより対物レンズホルダ３２がフォーカス方向Ｆ（図６（ｂ）参照）およびラジアル方向Ｒ（図８（ａ）参照）の２方向に駆動される。
【０００７】
この光磁気ディスク装置１では、磁界は図４（ｂ）に示す突起部前面４５ａから発生する。磁界を発生した状態で、ディスク２に光ピックアップ３からレーザスポット（径φ１μｍ程度）を集光することによりディスク２記録面の温度がキュリー温度以上に上昇され、かつ、突起部前面４５ａの磁界発生方向を記録信号に合わせて反転する事によりディスク２に記録信号が記録される。また、磁気ヘッド４は、ディスク２の面振れ、ディスク２上の異物及びこぶ等に追従して移動可能とするために、通常厚さ３０〜１００μｍの薄金属からなるサスペンション６により３〜１０ｍＮの予圧がかけられた状態でディスク２と接触し、ディスク２面を摺動可能としている。
【０００８】
また、磁気ヘッド４は、突起部前面４５ａの空間の磁界発生エリアで、記録するために必要な強度（例えば、この光磁気ディスク装置１では１１９４０〜１５８００Ａ／ｍ（１５０〜２００Ｏｅ）程度）の磁界を発生させる必要が有る。
【０００９】
ところで、近年、他の電気機器と同様に光磁気ディスク装置１を小型化および薄型化させる開発が進んでおり、構成要素である対物レンズアクチュエータ３１の小型化、薄型化が要求されている。そのため、対物レンズアクチュエータ３１を構成している磁気回路も小さく作る必要がある。また、対物レンズアクチュエータ３１の発生推力は従来と同様、もしくは、それ以上の推力が要求されている。そのため、磁気回路のギャップ磁束密度を上げていく必要があり、従来よりもエネルギー積の大きな磁石を用いることにより磁気回路のギャップ磁束密度の向上を図っている。
【００１０】
しかし、対物レンズアクチュエータ３１の磁気回路は通常開磁路であるために、ギャップ磁束密度を上げた結果、磁気回路から発生した磁界が外部に漏れやすくなる。そのため、ディスク２への記録再生の特性に悪影響を及ぼすという問題が発生している。
【００１１】
また、一方では、磁気ヘッド４では、高記録密度を達成するために、従来の光磁気ディスク装置１で必要とされていた磁気ヘッド４の磁界強度よりもさらに高い磁界強度が必要とされている。さらに、高速記録を達成するためにはその記録周波数も上げる必要もあり、それに伴って、磁界を反転させるための時間も小さくしなければならない。そのため、磁気ヘッド４のインダクタンスを従来よりも小さくする（例えば、１μＨ以下）必要がある。
【００１２】
このように近年の光磁気ディスク装置１に用いられている磁気ヘッド４では、要求される高い磁界強度と低インダクタンスを両立させるために、突起部前面４５ａの寸法を小さくする方法が採用されている。しかし、対物レンズアクチュエータ３１の直上に存在する突起部前面４５ａの寸法の縮小に伴って、磁気回路からの漏洩磁界が突起部前面４５ａの空間に更に集中しやすくなり、その漏洩磁界の強度が上がることで記録磁界強度が低下するなど、悪影響を及ぼしている。
【００１３】
上記したような漏洩磁界の問題を解決するために従来の光磁気ディスク装置では、特開平３−１９１６１号公報および特開平７−７８３７１号公報に開示されているような磁気ヘッドコアの直上、もしくは近傍に漏洩磁界マグネット、もしくは電磁石を配置するという方法が採用され、漏洩磁界の影響を低減させることが提案されている。
【００１４】
【発明が解決しようとする課題】
ここで、上記した漏洩磁界の影響を調べるために、上記光磁気ディスク装置１に備えられた対物レンズアクチュエータ３１を用いて、漏洩磁界分布を有限要素法による磁界解析シミュレーションにより算出した。この磁界解析シミュレーションは、図４に示すように突起部前面４５ａから５０μｍ離した位置（記録媒体面相当位置）における突起部前面４５ａに垂直な漏洩磁界の強度を測定し計算したものであり、下記する表１にその結果を示す。なお、このシミュレーションに用いた磁気回路、および磁気ヘッドコア４４の配置は図８に示す通りである。このときのホルダ用マグネット３３の保持力（ bＨc ）は８００ｋＡ／ｍである。
【００１５】
【表１】
0003973953.tif 000002
磁気回路側から突起部前面４５ａに向かう方向を正としている。
【００１６】
網線部は、表内数値の最大値、最小値を表している。
【００１７】
表内全体の平均値は、４６０９Ａ／ｍ（５７．９Ｏｅ）である。
【００１８】
表内全体の最大値と最小値との差は、１５４４Ａ／ｍ（１９．４０Ｏｅ）である。
【００１９】
この表１から、磁界分布は、突起部前面４５ａの空間において一定ではないことと、ラジアル方向Ｒに対して突起部前面４５ａの中央位置においてほぼ対称であることと、タンジェンシャル方向Ｔ（図８（ａ）参照）に対して傾いていることがわかる。
【００２０】
また、図９および図１０に示すような、光ピックアップ３のアクチュエータベース３６に浮上用マグネット３５が設けられた磁気浮上型対物レンズアクチュエータを用いて、漏洩磁界分布を有限要素法による磁界解析シミュレーションにより算出した。この場合、上記光磁気ディスク装置１とは光ピックアップが異なるだけであり、他の構成は同じである。したがって、上記光磁気ディスク装置１と同様の構成要素には同一の符号を付し、その説明は省略する。
【００２１】
この磁界解析シミュレーションは、図４に示すように突起部前面４５ａから５０μｍ離した位置（記録媒体面相当位置）における突起部前面４５ａに垂直な漏洩磁界の強度を測定し計算したものであり、下記する表２にその結果を示す。なお、このシミュレーションに用いた磁気回路、および磁気ヘッドコア４４の配置は図１０に示す通りである。このときのホルダ用マグネット３３の保持力（ bＨc ）は８００ｋＡ／ｍであり、浮上用マグネット３５の保持力（ bＨc ）は１０００ｋＡ／ｍである。
【００２２】
【表２】
0003973953.tif 000003
磁気回路側から突起部前面４５ａに向かう方向を正としている。
【００２３】
網線部は、表内数値の最大値、最小値を表している。
【００２４】
表内全体の平均値は、−１０２Ａ／ｍ（１．３Ｏｅ）である。
【００２５】
表内全体の最大値と最小値との差は、３４９４Ａ／ｍ（４３．９Ｏｅ）である。
【００２６】
この表２から、突起部前面４５ａから５０μｍ離した位置での漏洩磁界分布は、図８に示すような磁気回路配置のものと比較して更に漏洩磁界の分布が偏っていることが分かる。そのため、この磁気回路は、磁気ヘッドコア４４のラジアル方向Ｒ（図１０（ａ）参照）およびタンジェンシャル方向Ｔ（図１０（ａ）参照）に対して非対称に配されている。
【００２７】
また、突起部前面４５ａから５０μｍ離した位置での漏洩磁界の平均値は−１０２Ａ／ｍであり、表１の漏洩磁界の平均値４６０９Ａ／ｍと比較すると小さい値である。しかし、突起部前面４５ａの空間における漏洩磁界の最大値と最小値の差は３４９４Ａ／ｍであり、表１の最大値と最小値の差１５４４Ａ／ｍよりも大きく、その空間における漏洩磁界の分布は不均一であることが分かる。
【００２８】
また、レーザスポット径は直径１μｍ程度であり、このレーザが照射される場所の漏洩磁界だけが記録再生に影響を与えるので、突起部前面４５ａの空間における漏洩磁界の平均値を小さくするとともに、漏洩磁界の最大値と最小値との差も小さくする必要がある。
【００２９】
つまり、図１０に示す光磁気ディスク装置１に、特開平３−１９１６１号公報および特開平７−７８３７１号公報に開示されているような磁気ヘッドコアの直上、もしくは近傍に漏洩磁界マグネット、もしくは電磁石を配置するという方法を採用したとしても、突起部前面の空間における漏洩磁界を一律に変化させるだけであるので、その空間における漏洩磁界を完全にキャンセルすることはできず、突起部前面の空間の一部で漏洩磁界の影響を抑えることができても、他では更に漏洩磁界の影響を多大に受けることがある。
【００３０】
上記した課題を解決するために本発明は、磁気ヘッドコア前面における空間に発生する漏洩磁界をキャンセルして安定した記録再生を行う光磁気記録装置を提供することを目的とする。
【００３１】
【課題を解決するための手段】
上記目的を達成するため本発明に係る光磁気記録装置は、対物レンズアクチュエータを備えた光ピックアップと、磁気ヘッドコアを備えた磁気ヘッドとが光磁気ディスクを挟んで対峙して配されるとともにヘッドアームによって連結されており、前記ヘッドアームから規制アームが延設されるとともに前記規制アームの一端部が磁気ヘッドと対峙して配された光磁気記録装置であって、前記対物レンズアクチュエータの磁気回路に用いられている複数の磁石は、光磁気ディスクのラジアル方向およびタンジェンシャル方向に対して非対称に配され、前記規制アームの一端部に、前記磁気ヘッドコアの前記光ピックアップに対向する面の空間における漏洩磁界をキャンセルする複数のバイアス磁界発生手段が設けられ、前記バイアス磁界発生手段の磁界強度または極性は、夫々異なることを特徴とする。
【００３２】
この発明によれば、上記対物レンズアクチュエータの磁気回路に用いられている複数の磁石は、光磁気ディスクのラジアル方向およびタンジェンシャル方向に対して非対称に配され、上記規制アームの一端部に、上記磁気ヘッドコアの前記光ピックアップに対向する面の空間における漏洩磁界をキャンセルする複数のバイアス磁界発生手段が設けられ、上記バイアス磁界発生手段の磁界強度または極性は、夫々異なるので、漏洩磁界分布の状況に対応してバイアス磁界発生手段の磁界強度を変位させて、磁気ヘッドコアの上記光ピックアップに対向する面（磁気ヘッドコア前面）の空間における漏洩磁界の平均値を小さくするとともに、漏洩磁界の最大値と最小値との差も小さくすることが可能となる。また、従来何の用途にも用いられない空間である上記規制アームの一端部に上記複数のバイアス磁界発生手段が設けられているので、余分に複数のバイアス磁界発生手段を設けるスペースを確保しなくてもよく、本体の小型化および薄型化が可能となる。また、安定した記録再生を行うことができる。また、バイアス磁界発生手段の極性が夫々異なるので、磁気ヘッドコアの光ピックアップに対向する面に平行な方向の漏洩磁界を低減することが可能となる。また、磁気浮上型の対物レンズアクチュエータを用いることが可能となり、磁気浮上のための磁界が余分に加わるため、漏洩磁界の分布のばらつきを抑える上で、より好ましい。
【００３９】
【発明の実施の形態】
以下、本発明の実施の形態について図面を参照して説明する。なお、以下に示す各実施の形態では、磁界変調型光磁気記録装置として光磁気ディスク装置に本発明を適用した場合を示す。また、従来の光磁気ディスク装置１と同様の構成要素には同一の符号を付する。
＜実施の形態１＞
本実施の形態１にかかる光磁気ディスク装置を図１に示す。
【００４０】
この光磁気ディスク装置１には、ディスクカートリッジに格納された図示しない光磁気ディスク（以下、ディスクという）を挟んで、レーザ光を照射する光ピックアップ３（図６（ｂ）参照）と、光ピックアップ３の動きと連動してレーザスポット位置にあわせて移動する磁気ヘッド４とが対峙して設けられている。
【００４１】
これら光ピックアップ３と磁気ヘッド４とは、光ピックアップ３の移動にともなってディスクの半径方向に移動するヘッドアーム５（図６（ｂ）参照）およびサスペンション６により連結されている。すなわち、光ピックアップ３とヘッドアーム５の他端とが係合され、ヘッドアーム５の一端とサスペンション６の他端とが係合され、サスペンション６の一端と磁気ヘッド４とが係合されてなる。また、ヘッドアーム５の一端近傍から規制アーム５１が、図１（ｂ）に示すように延設されるとともに磁気ヘッド４およびサスペンション６の上方に配され、この規制アーム５１により磁気ヘッド４およびサスペンション６の変位を規制する。
【００４２】
また、この規制アーム５１の一端部５１ａの磁気ヘッド４に対向する面側（図１（Ｂ）では下面側）には、下記する突起部前面４５ａ（図２（ａ）参照）の空間における漏洩磁界をキャンセルさせる複数のバイアス磁界発生手段（マグネット７１およびマグネット７２）が貼付されている。これらマグネット７１およびマグネット７２は希土類系のマグネット（Ｓｍ−Ｃｏ系マグネット）であり、その厚さは０．２ｍｍであり、最大エネルギー積が１６０ｋＪ／ｍ3 （２０ＭＧ）であり、マグネット７１とマグネット７２との保持力（ bＨc ）は、夫々４５０ｋＡ／ｍと５００ｋＡ／ｍである。
【００４３】
磁気ヘッド４は、図２に示すように、中央に貫通部４１が形成されたスライダ４２と、ディスクと摺動するためにスライダ４２の一側面に設けられ、外側面が球面もしくは曲面に形成された摺動部４３と、スライダ４２の貫通部４１内側面で保持されフェライト合金等の磁性材料からなる磁気ヘッドコア４４と、からなる。また、磁気ヘッドコア４４の光ピックアップ３に対向する面には、磁界を発生させる突起部４５が設けられ、この突起部４５の周囲にコイル４６が設けられている。
【００４４】
光ピックアップ３（図６（ｂ）参照）は、図１および図３に示すように、ディスク面に対して垂直方向であるフォーカス方向Ｆ（図１（ｂ）参照）およびディスクの半径方向であるラジアル方向Ｒ（図３（ａ）参照）のより小さい変位に追従する対物レンズアクチュエータ３１を備えた対物レンズホルダ３２と、アクチュエータベース３６とを備え、図３（ｂ）に示す矢印Ａ方向に磁束を放出する。このアクチュエータベース３６には、対物レンズホルダ３２を駆動させるホルダ用マグネット３３とバックヨーク３４と浮上用マグネット３５とで構成された磁気回路が配されている。浮上用マグネット３５は、Ａ方向から磁気回路を見た場合、ラジアル方向Ｒおよびタンジェンシャル方向Ｔ（図３（ａ）参照）に対して非対称に配置され、保持力（ bＨc ）は１０００ｋＡ／ｍである。この磁気回路には、図１に示すようにフォーカスコイル３７とラジアルコイル３８とが配され、それぞれのコイル３７、３８に電流を印加することにより対物レンズホルダ３２がフォーカス方向Ｆおよびラジアル方向Ｒの２方向に駆動される。
【００４５】
この光磁気ディスク装置１では、磁界は図２（ａ）に示す突起部前面４５ａ側から発生する。磁界を発生した状態で、ディスクに光ピックアップ３からレーザスポット（径φ１μｍ程度）を集光することによりディスク記録面の温度がキュリー温度以上に上昇され、かつ、突起部前面４５ａの磁界発生方向を記録信号に合わせて反転する事によりディスクに記録信号が記録される。また、磁気ヘッド４は、ディスクの面振れ、ディスク上の異物及びこぶ等に追従して移動可能とするために、通常厚さ３０〜１００μｍの薄金属からなるサスペンション６により３〜１０ｍＮの予圧がかけられた状態でディスクと接触し、ディスク面を摺動可能としている。
【００４６】
この光磁気ディスク装置１に備えられた対物レンズアクチュエータ３１を用いて、漏洩磁界分布を有限要素法による磁界解析シミュレーションにより算出した。この磁界解析シミュレーションは、図４に示すように突起部端面４５ａから５０μｍ離した位置（記録媒体面相当位置）における突起部前面４５ａに垂直な漏洩磁界の強度を測定し計算したものであり、表３にその結果を示す。なお、このシミュレーションに用いた磁気回路、および磁気ヘッドコア４４の配置は図３に示す通りである。なお、ヘッドアーム５は配置関係を分かりやすくするために図示していない。
【００４７】
【表３】
0003973953.tif 000004
磁気回路側から突起部前面４５ａに向かう方向を正としている。
【００４８】
網線部は、表内数値の最大値、最小値を表している。
【００４９】
表内全体の平均値は、−１６１Ａ／ｍ（約２．０Ｏｅ）である。
【００５０】
表内全体の最大値と最小値との差は、５６２Ａ／ｍ（７．１Ｏｅ）である。
【００５１】
この表３と上記した表２とを比較する。まず、表内全体の平均値は、この表３では−１６１Ａ／ｍであり、表２と比べると６０Ａ／ｍ程度小さいがほぼ同等レベルである。次に、漏洩磁界の分布のばらつきを示す最大値と最小値との差は、この表３では５６２Ａ／ｍであり、表２と比べると２９３２Ａ／ｍ小さい。これらの結果からこの光磁気ディスク装置１では、突起部前面４５ａの空間における漏洩磁界の平均値を小さくすることができるとともに、その空間の発生磁界エリアによる漏洩磁界分布のばらつきも小さくすることができる。
【００５２】
次に、マグネット７１の保持力（ bＨc ）を４５０ｋＡ／ｍから５００ｋＡ／ｍに変更し、他の構成要素および条件を変更せずに漏洩磁界分布を有限要素法による磁界解析シミュレーションにより算出した。その結果を表４に示す。
【００５３】
【表４】
0003973953.tif 000005
磁気回路側から突起部前面４５ａに向かう方向を正としている。
【００５４】
網線部は、表内数値の最大値、最小値を表している。
【００５５】
表内全体の平均値は、−１６９Ａ／ｍ（約２．１Ｏｅ）である。
【００５６】
表内全体の最大値と最小値との差は、１６１５Ａ／ｍ（約２０．３Ｏｅ）である。
【００５７】
この表４と上記した表３とを比較する。まず、表内全体の平均値は、この表４では−１６９Ａ／ｍであり、表３と比べると８Ａ／ｍ程度小さいがほぼ同等レベルである。次に、漏洩磁界の分布のばらつきを示す最大値と最小値との差は、この表４では１６１５Ａ／ｍであり、表３と比べると１０５３Ａ／ｍ大きい。これらの結果からこの光磁気ディスク装置１では、貼付したマグネット７１およびマグネット７２の磁界強度を元の漏洩磁界分布に応じて適時変更させることにより、突起部前面４５ａの空間における漏洩磁界の平均値を小さくすることができるとともに、その空間の発生磁界エリアにおける磁界分布のばらつきを抑えることができる。
【００５８】
上述したように、この光磁気ディスク装置１によれば、一端部５１ａにマグネット７１およびマグネット７２が貼付されているので、突起部前面４５ａの空間における漏洩磁界の平均値を小さくするとともに、漏洩磁界の最大値と最小値との差も小さくすることができる。
【００５９】
また、マグネット７１およびマグネット７２が、従来何の用途にも用いられない空間である規制アーム５１の一端部５１ａの磁気ヘッド４に対向する面側（図１参照）に貼付されているので、余分にマグネット７１およびマグネット７２を設けるスペースを確保しなくてもよく、本体の小型化および薄型化ができる。
【００６０】
また、本実施の形態１では、同じ極性のマグネット７１およびマグネット７２を規制アーム５１の一端部５１ａに貼付したが、これに限定されるものではなく、例えば、マグネット７１およびマグネット７２の極性を夫々異ならせてもよい。この場合、突起部前面４５ａに平行な方向の漏洩磁界を低減することができ、漏洩磁界の分布のばらつきを抑える上で、好ましい。
【００６１】
また、表２の条件のようにマグネット７１およびマグネット７２の磁界強度が同じ場合であっても、漏洩磁界分布の状況に応じてマグネット７１およびマグネット７２が貼付されている一端部５１ａを加工し磁気ヘッド４との距離を変えることによりマグネット７１およびマグネット７２の磁界強度を変位させて、表１の結果と同等の効果を得ることができる。
【００６２】
また、磁気ヘッドコア４４に対して磁気回路がラジアル方向およびタンジェンシャル方向に非対称に配置されて、磁気浮上のための磁界が余分に加わっても、マグネット７１およびマグネット７２が設けられているので、余分に加わった磁気浮上のための磁界も含めた漏洩磁界の分布のばらつきも抑えることができる。そのため、この光磁気ディスク装置１にマグネット７１およびマグネット７２を貼付することは、漏洩磁界の分布のばらつきを抑える上で、より好ましい。
【００６３】
なお、本実施の形態１では、複数のバイアス磁界発生手段に、マグネット７１およびマグネット７２を用いたが、これに限定されるものではなく、漏洩磁界分布に応じて３個以上のマグネットを用いてもよい。
【００６４】
また、本実施の形態１では、ヘッドアーム５の一端近傍から規制アーム５１が延設されているが、これに限定されるものではなく、ヘッドアームに規制アームが一体的に形成されていてもよい。
＜参考例＞
また本実施の形態１の参考例としての光磁気ディスク装置として、図５に示すような光磁気ディスク装置１がある。この場合、上記光磁気ディスク装置１とは規制アーム５１およびバイアス磁気発生手段が異なるだけであり、他の構成は同じである。したがって、実施の形態１と同様の構成要素には同一の符号を付し、その説明は省略する。
【００６５】
この光磁気ディスク装置１には、ディスクを挟んで光ピックアップ３（図６（ｂ）参照）と磁気ヘッド４とが対峙して設けられている。
【００６６】
これら光ピックアップ３と磁気ヘッド４とは、光ピックアップ３の移動にともなってディスクの半径方向に移動するヘッドアーム５（図６（ｂ）参照）およびサスペンション６により連結されている。すなわち、光ピックアップ３とヘッドアーム５の他端とが係合され、ヘッドアーム５の一端とサスペンション６の他端とが係合され、サスペンション６の一端と磁気ヘッド４とが係合されてなる。また、ヘッドアーム５の一端近傍から規制アーム５１が、図５（ｂ）に示すように延設されるとともに磁気ヘッド４およびサスペンション６の上方に配され、この規制アーム５１により磁気ヘッド４およびサスペンション６の変位を規制する。
【００６７】
この規制アーム５１はフェライト系合金材料である強磁性体からなるとともに、突起部前面４５ａ（図４参照）の空間における漏洩磁界をキャンセルさせる複数のバイアス磁気発生手段（マグネット７３およびマグネット７４）が、規制アーム５１の一端部５１ａを着磁することにより構成されている。また、これらマグネット７３およびマグネット７４が構成された規制アーム５１の一端部５１ａは、図５に示すように、磁気ヘッド４側に突出して形成されている。
【００６８】
磁気ヘッド４は、図２に示すように、スライダ４２と、摺動部４３と、フェライト合金等の磁性材料からなる磁気ヘッドコア４４と、からなる。また、磁気ヘッドコア４４の光ピックアップ３に対向する面には、磁界を発生させる突起部４５が設けられ、この突起部４５の周囲にコイル４６が設けられている。
【００６９】
光ピックアップ３（図６（ｂ）参照）は、図３および図５に示すように、フォーカス方向Ｆおよびラジアル方向Ｒのより小さい変位に追従する対物レンズアクチュエータ３１を備えた対物レンズホルダ３２と、アクチュエータベース３６とを備え、図３（ｂ）に示す矢印Ａ方向に磁束を放出する。このアクチュエータベース３６には、対物レンズホルダ３２を駆動させるホルダ用マグネット３３とバックヨーク３４と浮上用マグネット３５とで構成された磁気回路が配されている。この磁気回路にはフォーカスコイル３７とラジアルコイル３８とが配されている。また、浮上用マグネット３５は、Ａ方向から磁気回路を見た場合、ラジアル方向Ｒおよびタンジェンシャル方向Ｔに対して非対称に配置されている。
【００７０】
この参考例にかかる光磁気ディスク装置１によれば、規制アーム５１が強磁性体からなり、一端部５１ａを着磁することによりマグネット７３およびマグネット７４が構成されるので、突起部前面４５ａの空間における漏洩磁界の平均値を小さくするとともに、漏洩磁界の最大値と最小値との差も小さくすることができるだけでなく、マグネット７３およびマグネット７４を別途設けなくてもよく、部品点数を削減し、かつ、マグネット貼付作業を省くこともできる。
【００７１】
また、マグネット７３およびマグネット７４が構成された規制アーム５１の一端部５１ａを磁気ヘッド４側に突出して形成することで、マグネット７３およびマグネット７４による磁界強度を、実施の形態１にかかる希土類系磁石を用いたマグネット７３およびマグネット７４による磁界強度と同じ強度にすることができ、実施の形態１と同様の効果が得られる。
【００７２】
また、本参考例では、ヘッドアーム５に規制アーム５１が延設されるとともに規制アーム５１が強磁性体からなるが、これに限定されるものではなく、ヘッドアームに規制アームが一体的に形成されるとともにヘッドアームおよび規制アームが強磁性体からなっていてもよい。
【００７３】
【発明の効果】
以上、説明したように、本発明にかかる光磁気記録装置によれば、磁気ヘッドコアの光ピックアップに対向する面（磁気ヘッドコア前面）の空間に発生する漏洩磁界をキャンセルして安定した記録再生を行うことができる。
【００７４】
すなわち、対物レンズアクチュエータの磁気回路に用いられている複数の磁石は、光磁気ディスクのラジアル方向およびタンジェンシャル方向に対して非対称に配され、規制アームの一端部に、磁気ヘッドコアの光ピックアップに対向する面の空間における漏洩磁界をキャンセルする複数のバイアス磁界発生手段が設けられ、バイアス磁界発生手段の磁界強度または極性は、夫々異なるので、漏洩磁界分布の状況に対応してバイアス磁界発生手段の磁界強度を変位させて、磁気ヘッドコアの前記光ピックアップに対向する面（磁気ヘッドコア前面）の空間における漏洩磁界の平均値を小さくするとともに、漏洩磁界の最大値と最小値との差も小さくすることが可能となる。また、従来何の用途にも用いられない空間である規制アームの一端部に複数のバイアス磁界発生手段が設けられているので、余分に複数のバイアス磁界発生手段を設けるスペースを確保しなくてもよく、本体の小型化および薄型化が可能となる。また、安定した記録再生を行うことができる。また、バイアス磁界発生手段の極性が夫々異なるので、磁気ヘッドコアの光ピックアップに対向する面に平行な方向の漏洩磁界を低減することが可能となる。また、磁気浮上型の対物レンズアクチュエータを用いることが可能となり、磁気浮上のための磁界が余分に加わるため、漏洩磁界の分布のばらつきを抑える上で、より好ましい。
【図面の簡単な説明】
【図１】（ａ）は、本実施の形態１にかかる光磁気ディスク装置の概略平面図であり、（ｂ）は、その概略側面図である。
【図２】（ａ）は、本実施の形態１にかかる光磁気ディスク装置の磁気ヘッドの分解斜視図であり、（ｂ）は、その上面斜視図であり、（ｃ）は、その下面斜視図である。
【図３】（ａ）は、本実施の形態１にかかる光磁気ディスク装置の対物レンズアクチュエータの磁気回路と磁気ヘッドコアとの位置関係を示した平面図であり、（ｂ）は、その前面図であり、（ｃ）は、その側面図である。
【図４】（ａ）は、タンジェンシャル方向およびラジアル方向を示した図であり、（ｂ）は、漏洩磁界の計算を行う位置を磁気ヘッドコアを用いて示した図である。
【図５】  （ａ）は、参考例にかかる光磁気ディスク装置の概略平面図であり、（ｂ）は、その概略側面図である。
【図６】（ａ）は、ディスクを載置した従来の光磁気ディスク装置の概略平面図であり、（ｂ）は、その概略側面図である。
【図７】（ａ）は、従来の光磁気ディスク装置の対物レンズアクチュエータの平面図であり、（ｂ）は、その側面図である。
【図８】（ａ）は、従来の光磁気ディスク装置の対物レンズアクチュエータの磁気回路と磁気ヘッドコアとの位置関係を示した平面図であり、（ｂ）は、その前面図であり、（ｃ）は、その側面図である。
【図９】（ａ）は、従来の磁界変調型光磁気ディスク装置の対物レンズアクチュエータの平面図であり、（ｂ）は、その側面図である。
【図１０】（ａ）は、従来の磁気変調型光磁気ディスク装置の対物レンズアクチュエータの磁気回路と磁気ヘッドコアとの位置関係を示した平面図であり、（ｂ）は、その前面図であり、（ｃ）は、その側面図である。
【符号の説明】
１  光磁気記録装置（光磁気ディスク装置）
２  光磁気ディスク（ディスク）
３  光ピックアップ
３１  対物レンズアクチュエータ
４  磁気ヘッド
４４  磁気ヘッドコア
４５ａ  磁気ヘッドコア前面（突起部前面）
５、５１  ヘッドアーム（ヘッドアーム、規制アーム）
５１ａ  一端部
７１、７２、７３、７４  バイアス磁界発生手段（マグネット）
【図１】
0003973953.tif 000006
【図２】
0003973953.tif 000007
【図３】
0003973953.tif 000008
【図４】
0003973953.tif 000009
【図５】
0003973953.tif 000010
【図６】
0003973953.tif 000011
【図７】
0003973953.tif 000012
【図８】
0003973953.tif 000013
【図９】
0003973953.tif 000014
【図１０】
0003973953.tif 000015